(57)【要約】      （修正有）【課題】広く開口させることができるとともに円滑に開口することができるアタッシュケースを提供する。【解決手段】ケース本体１４とケース本体１６は、胴板２２，３２と、前記胴板２２，３２の縁にヒンジ部４０，４２を介して連設された底板２０と、側板と、天板とを有し、前記底板２０は、対の側板の近傍でその内側に、対向するように底板２０から天板側に向けて立設された開閉案内体５０を備え、前記開閉案内体５０は、底板２０近傍からガイド５２Ｂ，５４Ｂを形成され、前記側板は、前記ガイド５２Ｂ，５４Ｂにて案内されるガイド６０Ｂ，６２Ｂを形成され、前記第１ケース本体１４及び／又は第２ケース本体１６は、前記開閉案内体５０のガイド５２Ｂ，５４Ｂに案内されて、前記ヒンジ部４０，４２を中心にして底板２０側から天板側に至るまで開口し、且つ、閉じたときに側板によって開閉案内体５０のガイド５２Ｂ，５４Ｂを覆うように形成されている。【選択図】図４
2010069182.tif 000002
【特許請求の範囲】
【請求項１】
第１ケース本体と第２ケース本体とを開口部において合わせることにより、収納部を形成するケースであって、
第１ケース本体及び第２ケース本体は、剛性または半剛性の胴板と、前記胴板の縁にヒンジ部を介して連設された底板と、前記底板と交差するように前記胴板の縁に連設された側板と、前記底板と対向するように前記胴板の縁に連設された天板とを有し、底板から天板に至る開口部を形成され、
前記側板は、対をなし、それぞれが対向するように、天板に連設され、
前記底板は、一方の側板の近傍から他方の側板の近傍に至る長さを有し、対の側板の近傍であってその内側において、対向するように底板から天板側に向けて立設された開閉案内体を備え、
前記開閉案内体は、底板近傍から天板側に向かうに従って外方に向けて傾斜するガイドを形成され、
前記側板は、その内側から前記開閉案内体に向けて突出されて前記ガイドに沿って案内されるガイドを形成され、
前記第１ケース本体及び／又は第２ケース本体は、前記開閉案内体のガイドに案内されて、前記ヒンジ部を中心にして底板側から天板側に至るまで開口し、且つ、その開口部をあわせて閉じたときに側板によって開閉案内体のガイドを覆うように形成された、アタッシュケース。
【請求項２】
前記ガイドは、前記開閉案内体の外側面から内側面に至るように形成され、
更に、前記開閉案内体の内側に、前記ガイドを覆うための掩体を設けられた、請求項１に記載のアタッシュケース。
【請求項３】
前記開閉案内体は、第１ケース本体と第２ケース本体の両方が、開閉案内体に対し相対的に移動して開閉するように、底板近傍側から天板側に向かうに従ってその間隔が広がる、一対のガイドを形成された、請求項１または請求項２に記載のアタッシュケース。
【発明の詳細な説明】
【技術分野】
【０００１】
この発明は、アタッシュケースに関し、特に例えば、書類の収納・運搬するときに用いる剛性ケースに関する。
【背景技術】
【０００２】
従来、ケースは、収納物の出し入れと容易にできるものが望まれており、例えば、特開２００２−３００９１２（特許文献１）のケースが提案されている。
更に、実用新案登録第３０７６３１７号（特許文献２）のような、より底板に近い位置から開口できるケースも提案されている。
【０００３】
【特許文献１】特開２００２−３００９１２号公報
【特許文献２】実用新案登録第３０７６３１７号
【発明の開示】
【発明が解決しようとする課題】
【０００４】
ところが、実用新案登録第３０７６３１７号（特許文献２）のケースのように、底板に近い位置に開閉機構を設けると、その構造の複雑さゆえに、外から異物が開閉機構をふさぎ、又、収納部内の底板近くに在るペン等が開閉機構の例えば孔等に入り込み、開閉することができなくなる。
それゆえに、この発明の主たる目的は、広く開口させることができるとともに円滑に開口することができるアタッシュケースを提供することである。
【課題を解決するための手段】
【０００５】
この発明にかかるアタッシュケースは、第１ケース本体と第２ケース本体とを開口部において合わせることにより、収納部を形成するケースであって、第１ケース本体及び第２ケース本体は、剛性または半剛性の胴板と、前記胴板の縁にヒンジ部を介して連設された底板と、前記底板と交差するように前記胴板の縁に連設された側板と、前記底板と対向するように前記胴板の縁に連設された天板とを有し、底板から天板に至る開口部を形成され、前記側板は、対をなし、それぞれが対向するように、天板に連設され、前記底板は、一方の側板の近傍から他方の側板の近傍に至る長さを有し、対の側板の近傍であってその内側において、対向するように底板から天板側に向けて立設された開閉案内体を備え、前記開閉案内体は、底板近傍から天板側に向かうに従って外方に向けて傾斜するガイドを形成され、前記側板は、その内側から前記開閉案内体に向けて突出されて前記ガイドに沿って案内されるガイドを形成され、前記第１ケース本体及び／又は第２ケース本体は、前記開閉案内体のガイドに案内されて、前記ヒンジ部を中心にして底板側から天板側に至るまで開口し、且つ、その開口部をあわせて閉じたときに側板によって開閉案内体のガイドを覆うように形成された、アタッシュケースである。
この発明の請求項２にかかるアタッシュケースは、前記ガイドは、前記開閉案内体の外側面から内側面に至るように形成され、更に、前記開閉案内体の内側に、前記ガイドを覆うための掩体を設けられた、請求項１に記載のアタッシュケースである。
この発明の請求項３にかかるアタッシュケースは、前記開閉案内体は、第１ケース本体と第２ケース本体の両方が、開閉案内体に対し相対的に移動して開閉するように、底板近傍側から天板側に向かうに従ってその間隔が広がる、一対のガイドを形成された、請求項１または請求項２に記載のアタッシュケースである。
【発明の効果】
【０００６】
この発明によれば、第１ケース本体と第２ケース本体とを開口部において合わせることにより、収納部を形成するケースであって、第１ケース本体及び第２ケース本体は、剛性または半剛性の胴板と、前記胴板の縁にヒンジ部を介して連設された底板と、前記底板と交差するように前記胴板の縁に連設された側板と、前記底板と対向するように前記胴板の縁に連設された天板とを有し、底板から天板に至る開口部を形成され、前記側板は、対をなし、それぞれが対向するように、天板に連設され、前記底板は、一方の側板の近傍から他方の側板の近傍に至る長さを有し、対の側板の近傍であってその内側において、対向するように底板から天板側に向けて立設された開閉案内体を備え、前記開閉案内体は、底板近傍から天板側に向かうに従って外方に向けて傾斜するガイド凹みを形成され、前記側板は、その内側から前記開閉案内体に向けて突出されて前記ガイド凹みに沿って案内される突起を形成され、前記第１ケース本体及び／又は第２ケース本体は、前記開閉案内体のガイド凹みに案内されて、前記ヒンジ部を中心にして底板側から天板側に至るまで開口し、且つ、その開口部をあわせて閉じたときに側板によって開閉案内体のガイド凹みを覆うように形成されているので、広く開口させることができるとともに円滑に開口することができるアタッシュケースを提供することができる。
請求項２の発明によれば、前記ガイド凹みは、前記開閉案内体の外側面から内側面に至るように形成され、更に、前記開閉案内体の内側に、前記ガイド凹みを覆うための掩体を設けられているので、収納部内の底板近くに在るペン等が開閉機構の例えば孔等に入り込むことを防ぐことができる。
請求項３の発明によれば、前記開閉案内体は、底板近傍側から天板側に至るに従って、その間隔が広がる一対のガイド凹みを形成されているので、第１ケース本体と、第２ケース本体とを、開閉することができる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
図１は、この発明のアタッシュケースの一例を示す斜視図解図であり、図２は、図１に示すアタッシュケースを開いた状態を示す斜視図解図である。
このアタッシュケース１０は、収納部１２を形成する第１ケース本体１４及び第２ケース本体１６と、この収納部１２の閉塞状態を維持するためのロック機構１８とを備える。
【０００９】
第１ケース本体１４及び第２ケース本体１６は、全体がポリプロピレン板等で成形され、全体が剛性又準剛性であり、第１ケース本体１４と第２ケース本体１６とを連設する底板２０を挟んで略々対称形に形成されている。
【００１０】
第１ケース本体１４は、剛性または半剛性の略正面視長方形状の胴板２２と、前記底板２０と交差するように前記胴板２２の縁に連設された略正面視長方形状の手前側の側板部２４及び向こう側の側板部２６と、前記底板２０と対向するように前記胴板２２の縁に連設された略正面視長方形状の天板部２８とを有する。
前記側板部２４，２６は、対をなし、それぞれが対向するように、天板部２８に連設されている。
第２ケース本体１６は、剛性または半剛性の略正面視長方形状の胴板３２と、前記底板２０と交差するように前記胴板３２の縁に連設された略正面視長方形状の手前側の側板部３４及び向こう側の側板部３６と、前記底板２０と対向するように前記胴板３２の縁に連設された略正面視長方形状の天板部３８とを有する。
前記側板部３４，３６は、対をなし、それぞれが対向するように、天板部３８に連設されている。
【００１１】
第１ケース本体１４の胴板２２は、下縁においてヒンジ部４０を介して底板２０と連設され、第２ケース本体１６の胴板３２は、下縁においてヒンジ部４２を介して底板２０と連設されている。
【００１２】
前記第１ケース本体１４及び／又は第２ケース本体１６は、前記ヒンジ部４０，４２を中心にして底板２０側から天板部３８側に至る開口部４４及び開口部４６を形成されており、広く開口することができ、且つ、第１ケース本体１４の開口部４４と第２ケース本体１６の開口部４６とをあわせて閉じると、収納部１２を閉塞することができるように構成されている。
【００１３】
前記底板２０は、一方の側板部２４，３４の近傍から他方の側板部２６，３６の近傍に至る長さ（胴板２２，３２と略々同じ長さ）を有し、後述する第１口縁体１２０及び第２口縁体１３０の厚さを含む、側板部２４の幅と側板部３４の幅とを合わせた幅、及び後述する第１口縁体１２０及び第２口縁体１３０の厚さを含む、側板部２６の幅の幅と側板部３６の幅とを合わせた幅を有する、平面視長方形状である。
【００１４】
第１ケース本体１４の胴板２２と第２ケース本体１６の胴板３２とは、略々同じ長さと幅とを備える。
第１ケース本体１４の側板部２４と第２ケース本体１６の側板部３４とは、略々同じ長さと幅とを備え、第１ケース本体１４の側板部２４の略直線状の開口側縁２４ａと第２ケース本体１６の側板部３４の略直線状の開口側縁３４ａとは対向して第１ケース本体１４と第２ケース本体１６とを閉じたとき、接近ないしは接し合う。
第１ケース本体１４の側板部２６と第２ケース本体１６の側板部３６とは、略々同じ長さと幅とを備え、第１ケース本体１４の側板部２６の略直線状の開口側縁２６ａと第２ケース本体１６の側板部３６の略直線状の開口側縁３６ａとは対向して第１ケース本体１４と第２ケース本体１６とを閉じたとき、接近ないしは接し合う。
この実施の形態においては、後述する第１口縁体１２０の側板領域１２４が第１ケース本体１４の開口側縁２４ａに固定され、また、第１口縁体１２０の側板領域１２６が第１ケース本体１４の開口側縁２６ａに固定されている。
また、第２口縁体１３０の側板領域１３４が第２ケース本体１６の開口側縁３４ａに固定され、また、第２口縁体１３０の側板領域１３６が第２ケース本体１６の開口側縁３６ａに固定されている。
而して、第１ケース本体１４の第１口縁体１２０の口縁１２２と、第２ケース本体１６の第２口縁体１３０の口縁１３２とが接し合う。
【００１５】
第１ケース本体１４の側板部２４と第２ケース本体１６の側板部３４とは、第１ケース本体１４の胴板２２と同じ長さを有し、ヒンジ部４０の近傍に至るように形成され、第１ケース本体１４と第２ケース本体１６とを閉じたときに底板２０の上面に近い位置において直線状に並置するように下辺は直線状に形成されている。第２ケース本体１６の側板部２６と第２ケース本体１６の側板部３６とは、第２ケース本体１６の胴板３２と同じ長さを有し、ヒンジ部４２の近傍に至るように形成され、第１ケース本体１４と第２ケース本体１６とを閉じたときに底板２０の上面に近い位置において直線状に並置するように下辺は直線状に形成されている。
【００１６】
第１ケース本体１４の天板部２８と第２ケース本体１６の天板部３８とは、略々同じ長さと幅とを備え、第１ケース本体１４の天板部２８の開口側縁２８ａと第２ケース本体１６の天板部３８の開口側縁３８ａとは対向して第１ケース本体１４と第２ケース本体１６とを閉じたとき、接近ないしは接し合う。
この実施の形態においては、後述する第１口縁体１２０の天板領域１２８が第１ケース本体１４の天板部２８に固定され、また、第２口縁体１３０の天板領域１３８が第２ケース本体１６の天板部３８に固定されている。
而して、第１ケース本体１４の第１口縁体１２０の口縁１２２と、第２ケース本体１６の第２口縁体１３０の口縁１３２とが接し合う。
【００１７】
底板２０は、対の側板部２４，３４及び側板部２６，３６の近傍であってその内側において、対向するように底板２０から天板部２８，３８側に向けて立設された開閉案内体５０を備える。開閉案内体５０は、底板２０の両端において底板２０の幅方向にのびるように形成された側面視略々方形状の板であり、一対の開閉案内体５０は、略々同じ形状であり、底板２０と略々同じ幅を備え、側板部２４，３４及び側板部２６，３６の幅よりも高い高さを備え、その手前側の主面及び向こう側の主面がヒンジ部４０及びヒンジ部４２と直交するように立設されている。
そして、一対の開閉案内体５０は、一方の第１開閉案内体５０Ａが、手前側の側板部２４及び側板部３４と対向するように、側板部２４及び側板部３４の内側に、その手前側の主面及び向こう側の主面がヒンジ部４０及びヒンジ部４２と直交するように立設され、且つ他方の第２開閉案内体５０Ｂが、向こう側の側板部２６及び側板部３６と対向するように、側板部２６及び側板部３６の内側に、その手前側の主面及び向こう側の主面がヒンジ部４０及びヒンジ部４２と直交するように立設されている。
前記第１開閉案内体５０Ａは、底板２０近傍側から天板部２８，３８側に至るに従って外方に向けて傾斜するガイド凹み５２及びガイド凹み５４を手前側の主面に形成され、前記第２開閉案内体５０Ｂは、底板２０近傍側から天板部２８，３８側に至るに従って、その間隔が広がる一対のガイド凹み５２及びガイド凹み５４を向こう側の主面に形成されている。
【００１８】
前記側板部２４，３４及び側板部２６，３６は、その内側からガイド突起６０及びガイド突起６２が前記開閉案内体５０に向けて突出されて、前記ガイド凹み５２，５４に沿って、側板部２４，３４及び側板部２６，３６が案内されるように形成されている。
ガイド凹み５２及びガイド凹み５４は、前記第１ケース本体１４又は第２ケース本体１６を開閉するときに、ヒンジ部４０及びヒンジ部４２を中心にして円形に揺動する第１ケース本体１４のガイド突起６０及び第２ケース本体１６の突起６２の軌道に沿った円弧状に形成されている。
【００１９】
第１ケース本体１４の側板部２４は、開口側縁２４ａと下縁２４ｂとが交差する隅部に第１突起６０Ａが突設され、第２ケース本体１６の側板部３４は、開口側縁３４ａと下縁３４ｂとが交差する隅部に第２突起６２Ａが突設され、第１ケース本体１４の側板部２６は、開口側縁２６ａと下縁２６ｂとが交差する隅部に第３突起６０Ｂが突設され、第２ケース本体１６の側板部３６は、開口側縁３６ａと下縁３６ｂとが交差する隅部に第４突起６２Ｂが突設されている。
【００２０】
第１開閉案内体５０Ａは、第１ケース本体１４側の第１ガイド凹み５２Ａと、第２ケース本体１６側の第２ガイド凹み５４Ａとを備え、第２開閉案内体５０Ｂは、第１ケース本体１４側の第３ガイド凹み５２Ｂと、第２ケース本体１６側の第４ガイド凹み５４Ｂとを備える。
【００２１】
前記第１ケース本体１４及び／又は第２ケース本体１６は、前記ヒンジ部４０，４２を中心にして開閉し、その開口部４４，４６をあわせて閉じたときに側板部２４，２６，３４，３６によって開閉案内体５０のガイド凹み５２，５４を覆うように形成されている。したがって、ガイド凹み５２，５４に異物が入り込むことを防ぐことができる。
この実施の形態においては、第１ケース本体１４の開口部４４と第２ケース本体１６の開口部４６とは底板２０の上面の近傍に至るまで密に接し合い、すなわち、第１ケース本体１４の側板部２４の開口側縁２４ａと第２ケース本体１６の側板部３４の開口側縁３４ａとは底板２０の上面の近傍に至るまで密に接し合い、第１ケース本体１４の側板部２４の開口側縁２６ａと第２ケース本体１６の側板部３４の開口側縁３６ａとは底板２０の上面の近傍に至るまで密に接し合う。
更に、第１ケース本体１４の側板部２４の下縁２４ｂと第２ケース本体１６の側板部３４の下縁３４ｂとは、底板２０の上面の近傍において直線状に並置され、第１ケース本体１４の側板部２６の下縁２６ｂと第２ケース本体１６の側板部３６の下縁３６ｂとは、底板２０の上面の近傍において直線状に並置されている。
【００２２】
前記ガイド凹み５２，５４は、前記開閉案内体５０の外側面から内側面に至る貫通孔によって形成されており、更に、前記開閉案内体５０の内側に、前記ガイド凹み５２，５４を覆うための掩体７０を設けられている。
掩体７０は、一方の側板部２４，３４から、他方の側板部２６，３６側に至る長さを有し、開閉案内体５０を構成する対の第１開閉案内体５０Ａの内側に、第１掩体７０Ａが底板２０から天板部２８，３８側に向けて突設され、開閉案内体５０を構成する対の第２開閉案内体５０Ｂの内側に、第２掩体７０Ｂが底板２０から天板部２８，３８側に向けて突設されている。したがって、収納部１２内の底板２０近くに在るペン等が開閉機構の例えばガイド凹み５２，５４等に入り込むことを防ぐことができる。
【００２３】
この実施の形態においては、底板２０を挟んで、第１ケース本体１４の胴板２２が、平行な二重の折り曲げ線８０ａ，８０ｂを介して連設され、且つ第２ケース本体１６の胴板３２が、平行な二重の折り曲げ線８２ａ，８２ｂを介して連設されている。
また、第１ケース本体１４の胴板２２の手前側縁には、平行な二重の折り曲げ線８４ａ，８４ｂを介して、手前側側板部２４が連設され、第１ケース本体１４の胴板２２の向こう側縁には、平行な二重の折り曲げ線８６ａ，８６ｂを介して向こう側側板部２６が連設される。
そして、第２ケース本体１６の胴板３２の手前側縁には、平行な二重の折り曲げ線８８ａ，８８ｂを介して、手前側側板部３４が連設され、第２ケース本体１６の胴板３２の向こう側縁には、平行な二重の折り曲げ線９０ａ，９０ｂを介して向こう側側板部３６が連設される。
底板２０の手前側縁に折り曲げ線９２ａを介して第１掩体７０Ａが連設され、向こう側縁に、折り曲げ線９２ｂを介して、第２掩体７０Ｂが連設されている。
第１ケース本体１４の胴板２２の上部には、天板部２８が、平行な二重の折り曲げ線９４ａ，９４ｂを介して連設され、第２ケース本体１６の胴板３２の上部には、天板部３８が、平行な二重の折り曲げ線９６ａ，９６ｂを介して連設されている。
【００２４】
この実施の形態においては、開閉案内体５０は、正面視略凹の字型の開閉案内板部１００と、前記開閉案内板部１００の下部から内側に向けて突設された底板支持部１０２と、前記開閉案内板部１００の上部から内側に向けて突設された掩体支持部１０４と、底板・掩体固定部１０６とを備える。
開閉案内板部１００は、底板支持部１０２が突設された面とは反対側の主面より内面に向けて突設されたガイド凹み５２，５４を備える。
底板支持部１０２は、開閉案内板部１００に直交するように開閉案内板部１００の上端から突設され、開閉案内板部１００に直交するように開閉案内板部１００の下端から突設された底板支持部１０２と平行に形成され、底板２０の下面を支持するとともに掩体７０の下端を支持するように構成されている。
底板・掩体固定部１０６は、開閉案内板部１００の内面に突設された底板・掩体固定突部１０８と、底板・掩体固定突部１０８に嵌合して、固定される底板・掩体固定部材１１０とから構成されている。
掩体支持部１０４と底板・掩体固定部１０６との間に架け渡された掩体７０は、掩体７０に貫設された左右一対の固定孔１１４，１１４を、底板・掩体固定部１０６を構成する左右一対の底板・掩体固定突部１０８，１０８に嵌挿して、開閉案内板部１００に平行に固定される。
更に、底板・掩体固定部材１１０を、底板・掩体固定突部１０８の内側面より底板・掩体固定突部１０８に嵌挿された掩体７０の内側面より嵌挿し固定して、底板２０と開閉案内体５０とを強固に固定する。
この実施の形態においては、底板・掩体固定部材１１０は、底板・掩体固定部材１１０の下部に突設された固定突起１１０ａを、底板２０に貫設された固定孔１１４に貫挿し、底板支持部１０２の上部に突設された固定突起１０２ａに係止させて、固定される。
【００２５】
この実施の形態においては、第１ケース本体１４の側板部２４及び側板部２６と天板部２８とは、第１口縁体１２０をもって略々コの字型に固定され、また、第２ケース本体１６の側板部３４及び側板部３６と天板部３８とは、第２口縁体１３０をもって略々コの字型に固定される。
第１口縁体１２０及び第２口縁体１３０の固定構造は、この実施の形態においては、口縁体固定突部を口縁体固定孔部に嵌挿して固定するように構成されている。
すなわち、第１口縁体１２０は、第１口縁体１２０の側板領域１２４，側板領域１２６及び天板領域１２８の内面に突設された口縁体固定突部１４０を、第１ケース本体１４の側板部２４，側板部２６及び天板部２８に穿設された口縁体固定孔部１４２に嵌挿して、固定される。
また、第２口縁体１３０は、第２口縁体１３０の側板領域１３４，側板領域１３６及び天板領域１３８の内面に突設された口縁体固定突部１５０を、第２ケース本体１６の側板部３４，側板部３６及び天板部３８に穿設された口縁体固定孔部１５２に嵌挿して、固定される。
【００２６】
側板領域１２４は、側板部２４と結合されて第１ケース本体１４の側板２４Ａを構成し、側板領域１２６は、側板部２６と結合されて第１ケース本体１４の側板２６Ａを構成し、側板領域１３４は、側板部３４と結合されて第２ケース本体１６の側板３４Ａを構成し、側板領域１３６は、側板部３６と結合されて第２ケース本体１６の側板３６Ａを構成する。
そして、天板領域１２８は、天板部２８と結合されて第１ケース本体１４の天板２８Ａを構成し、天板領域１３８は、天板部３８と結合されて第２ケース本体１６の天板３８Ａを構成する。
而して、第１ケース本体１４と第２ケース本体１６とは、第１口縁体１２０の開口部４４側の口縁１２２と第２口縁体１３０の開口部４６側の口縁１３２とが密に接し合い、開口部４４，４６を塞ぐように構成されている。
【００２７】
また、第１口縁体１２０は、手前側及び向こう側の下端において、内向きのガイド突起６０，６２が前後一対突設されている。
また、第２口縁体１３０は、手前側及び向こう側の下端において、内向きのガイド突起６０，６２が前後一対突設されている。
この実施の形態においては、第１口縁体１２０の第１突起６０Ａは、第１ケース本体１４の手前側側板部２４に貫設された貫通孔６４ａに嵌挿され、第１口縁体１２０の第３突起６０Ｂは、第１ケース本体１４の向こう側側板部２６に貫設された貫通孔６４ｂに嵌挿される。
この実施の形態においては、第２口縁体１３０の第２突起６２Ａは、第２ケース本体１６の手前側側板部３４に貫設された貫通孔６６ａに嵌挿され、第２口縁体１３０の第４突起６２Ｂは、第２ケース本体１６の向こう側側板部３６に貫設された貫通孔６６ｂに嵌挿される。
【００２８】
ロック機構１８は、第２ケース本体１６に設けた係合部１６０に対して係合状態となる係合位置Ｐと、前記係合部１６０に対して非係合状態となる退避位置Ｑとの間で左右にスライド移動可能に設けた移動部材１６２とから構成してなる。特に、本実施の形態においては、取手１６４の左右側部にそれぞれロック機構１８を設けてある。
【産業上の利用可能性】
【００２９】
この発明にかかるアタッシュケースは、狭い意味のアタッシュケースのみならず、事務用鞄、ケース等、広く利用できる。
【図面の簡単な説明】
【００３０】
【図１】この発明のアタッシュケースの一例を示す斜視図解図である。
【図２】図１に示すアタッシュケースを開いた状態を示す斜視図解図である。
【図３】図１に示すアタッシュケースが閉じた状態における側面図解図である。
【図４】図１に示すアタッシュケースが閉じた状態における側断面図解図である。
【図５】図１に示すアタッシュケースが開いた状態における側断面図解図である。
【図６】図１に示すアタッシュケースが開いた状態における側断面図解図である。
【図７】図１に示すアタッシュケースが開いた状態における右側面図解図である。
【図８】図１に示すアタッシュケースが開いた状態における左側面図解図である。
【図９】第１及び第２ケース本体の展開した状態を示す平面図解図である。
【図１０】開閉案内体の背面図解図である。
【図１１】開閉案内体の側面図解図である。
【図１２】開閉案内体の正面図解図である。
【図１３】図１に示すアタッシュケースの要部の断面図解図である。
【図１４】図１に示すアタッシュケースの製作工程を示す断面図解図である。
【図１５】底板・掩体固定部材の正面図解図である。
【図１６】図１に示すアタッシュケースの口縁体を示す図解図である。
【図１７】図１に示すアタッシュケースの口縁体を示す図解図である。
【図１８】図１に示すアタッシュケースの縦断面図解図である。
【図１９】図１に示すアタッシュケースの縦断面図解図である。
【符号の説明】
【００３１】
１０  アタッシュケース
１２  収納部
１４  第１ケース本体
１６  第２ケース本体
１８  ロック機構
２０  底板
２２，３２  胴板
２４，２６，３４，３６  側板部
２４Ａ，２６Ａ，３４Ａ，３６Ａ  側板
２４ａ，２６ａ，３４ａ，３６ａ  開口側縁
２４ｂ，２６ｂ，３４ｂ，３６ｂ  下縁
２８，３８  天板部
２８Ａ，３８Ａ  天板
２８ａ，３８ａ  開口側縁
４０，４２  ヒンジ部
４４，４６  開口部
５０  開閉案内体
５０Ａ  第１開閉案内体
５０Ｂ  第２開閉案内体
５２，５４  ガイド凹み
５２Ａ  第１ガイド凹み
５２Ｂ  第３ガイド凹み
５４Ａ  第２ガイド凹み
５４Ｂ  第４ガイド凹み
６０，６２  ガイド突起
６０Ａ  第１突起
６０Ｂ  第３突起
６２Ａ  第２突起
６２Ｂ  第４突起
６４ａ，６４ｂ，６６ａ，６６ｂ  貫通孔
７０  掩体
７０Ａ  第１掩体
７０Ｂ  第２掩体
８０ａ，８０ｂ，８２ａ，８２ｂ，８４ａ，８４ｂ，８６ａ，８６ｂ，８８ａ，８８ｂ，９０ａ，９０ｂ，９２ａ，９２ｂ，９４ａ，９４ｂ，９６ａ，９６ｂ  折り曲げ線
１００  開閉案内板部
１０２  底板支持部
１０２ａ  固定突起
１０４  掩体支持部
１０６  底板・掩体固定部
１０８  底板・掩体固定突部
１１０  底板・掩体固定部材
１１０ａ  固定突起
１１４  固定孔
１２０  第１口縁体
１３０  第２口縁体
１２２，１３２  口縁
１２４，１２６，１３４，１３６  側板領域
１２８，１３８  天板領域
１４０，１５０  口縁体固定突部
１４２，１５２  口縁体固定孔部
１６０  係合部
１６２  移動部材
１６４  取手
Ｐ  係合位置
Ｑ  退避位置
【図１】
2010069182.tif 000003
【図２】
2010069182.tif 000004
【図３】
2010069182.tif 000005
【図４】
2010069182.tif 000006
【図５】
2010069182.tif 000007
【図６】
2010069182.tif 000008
【図７】
2010069182.tif 000009
【図８】
2010069182.tif 000010
【図９】
2010069182.tif 000011
【図１０】
2010069182.tif 000012
【図１１】
2010069182.tif 000013
【図１２】
2010069182.tif 000014
【図１３】
2010069182.tif 000015
【図１４】
2010069182.tif 000016
【図１５】
2010069182.tif 000017
【図１６】
2010069182.tif 000018
【図１７】
2010069182.tif 000019
【図１８】
2010069182.tif 000020
【図１９】
2010069182.tif 000021